(57)【特許請求の範囲】
【請求項１】
椅子の背もたれの背面と対向する背面部と、前記背もたれの前面と対向する前面部とを有し、前記背もたれの上方から装着可能な椅子カバーであって、
前記背面部と前記前面部とから形成し、下方が開口する袋状部材と、
ハリのある素材で形成され、表側に文字や図案を表示する表示用プレート部材とを備え、
前記袋状部材の背面部に前記表示用プレート部材を配置し、
前記表示用プレート部材裏側の左右側縁部において、前記袋状部材と前記表示用プレート部材とが接合されていることを特徴とする椅子カバー。
【請求項２】
前記表示用プレート部材の上方および／または下方の外形状が、キャラクター等のデザイン性のある形状に形成されていることを特徴とする請求項１に記載の椅子カバー。
【請求項３】
前記袋状部材が伸縮性を有する素材で形成されていることを特徴とする請求項１または２に記載の椅子カバー。
【請求項４】
前記表示用プレート部材が、表面に防水・防汚加工を施されていることを特徴とする請求項１〜３のいずれか１項に記載の椅子カバー。
【請求項５】
前記表示用プレート部材の周縁部において、少なくとも左右側縁部がテープ部材により覆われていることを特徴とする請求項１〜４のいずれか１項に記載の椅子カバー。
【発明の詳細な説明】
【技術分野】
【０００１】
本発明は、椅子の背もたれに被せる椅子カバーに関し、特に、文字や図案等の表示が可能な椅子カバーに関する。
【背景技術】
【０００２】
従来、椅子の背もたれに被せる椅子カバーは、布製やビニール製のシートを袋状に形成していた（例えば、特許文献１〜特許文献３参照）。特許文献１に記載の椅子カバーは、スポンジ主材に蛍光色の生地を圧着した２枚のシートを、上部と側部で縫い合わせている。縫い合わせた２枚のシートのうち、背面側（座面に対して反対側）のシートの蛍光色生地に、広告や図柄等を記載している。
【０００３】
特許文献２に記載の椅子カバーは、布シート、樹脂シートで形成された背面カバーシートと座面側の前面カバーシートとが面合わせされ、それらの周囲が袋状に縫い合わされている。前面カバーシートの中央腰部に、メッシュシートで形成したポケットを設け、クッションが出し入れ可能に収納される。また、背面カバシートの表面に、意匠が印刷されている。
【０００４】
特許文献３に記載の椅子カバーは、表示部を備えた背面部と、伸縮性シートで構成された前面部とからなる。背面部は、表示部を備えたビニールシートと、背もたれに当接するスポンジシートとが、全周縁部にわたってテープ材で縫製されている。前面部の伸縮性シートは、上部にマチが形成され、下縁部を除く周縁部が、上記のテープ材によって背面部と一体化されている。前面部がマチ付きの伸縮性シートなので、多様な大きさ・形状の背もたれに装着できる。また、背面部が、伸びないビニールシートで形成されているので、表示部の歪みを防止できる。
【先行技術文献】
【特許文献】
【０００５】
【特許文献１】実用新案登録第３０６９６３３号公報
【特許文献２】実用新案登録第３１５８２５５号公報
【特許文献３】特許第４４１５４１３号公報
【発明の概要】
【発明が解決しようとする課題】
【０００６】
既存の布製やビニール製の椅子カバーは、椅子の背もたれに被せたときに、座った人との接触でずれたり、背もたれの厚みや曲面部によって引張られることがあり、その結果、広告等の文字や図案の印刷面が伸びたりたわんだりして、デザインが損なわれることがあった。とくに、特許文献１および特許文献２に記載の椅子カバーのように、前面・背面の各シートが、同じ形状、同じ材質で形成されていて、そのような２枚のカバーを重ねて周囲を縫い合わせ、袋状に形成していると、背もたれに被せたときにカバーの周縁部にシワや歪みが生じることが避けられない。その結果、表面に表示された広告等の文字や図案が歪んで読みにくくなるうえ、見栄えのしないものになっていた。
【０００７】
一方、特許文献３に記載の椅子カバーは、前面部の伸縮性シートにマチを付けて、背面部のシートと重ねてテープ材で周縁部を縫い合わせているため、平面状の２枚のシートを重ねて縫い合わせる場合に比べて、背面部のシートが伸びたりたわんだりすることは避けやすいが、製造工程が複雑になるためコスト負担が大きいという不都合があった。
【０００８】
本発明は、上記の課題を解決するためになされたもので、デザイン性が高く、表示が伸びたりたわんだりしづらい表示用プレート部材を備えた椅子カバーを提供することを目的とする。
【課題を解決するための手段】
【０００９】
請求項１に係る椅子カバーは、椅子の背もたれの背面と対向する背面部と、前記背もたれの前面と対向する前面部とを有し、前記背もたれの上方から装着可能な椅子カバーであって、
前記背面部と前記前面部とから形成し、下方が開口する袋状部材と、ハリのある素材で形成され、表側に文字や図案を表示する表示用プレート部材とを備え、前記袋状部材の背面部に前記表示用プレート部材を配置し、前記表示用プレート部材裏側の左右側縁部において、前記袋状部材と前記表示用プレート部材とが接合されていることを特徴とする。
【００１０】
この構成によれば、表示用プレート部材がハリのある素材（たとえば、糊引きしたポリエチレン樹脂）で形成されているため、椅子の背もたれに袋状部材を装着したときにも、表示用プレート部材が伸びたりたわんだりすることがない。したがって、表示用プレート部材の表側に表示されている文字や図案を、はっきりときれいに見せることができる。
【００１１】
そして、袋状部材が表示用プレート部材の裏側側部で接合されているため、表示用プレート部材は、袋状部材より上方の部分のデザインが制限されなくなる。したがって、従来できなかった形状に制作可能になり、斬新なデザインを表現できる。このような表示用プレート部材を備えた椅子カバーは、広告等を表示したときに、見栄えがして訴求効果が高い。
【００１２】
また、表示用プレート部材の素材にハリがあることに加えて、袋状部材は、その左右縁部が表示用プレート部材に接合されているので、椅子の背もたれに被せることによって袋状部材が膨らんだ場合にも、表示用プレート部材は、袋状部材より上方及び下方にある部分が背もたれ側に引張られない。したがって、表示用プレート部材の表側に表示されている文字や図案を、より確実に、はっきり、綺麗に見せることができる。
【００１３】
請求項２に係る椅子カバーのように、前記表示用プレート部材の上方および／または下方の外形状が、キャラクター等のデザイン性のある形状に形成されていることが好ましい。
【００１４】
この構成によれば、ハリがある素材の表示用プレート部材で、キャラクター等の形状の外形や図案を表現するので、キャラクター等の形状が伸びたりたわんだりせずに保持され、見栄えがする。したがって、表示用プレート部材表側に表れる広告がより目立ち、訴求効果をいっそう高めることができる。
【００１５】
請求項３に係る椅子カバーは、前記袋状部材が伸縮性を有する素材で形成されているとよい。
【００１６】
この構成によれば、袋状部材を形成する素材に伸縮性があるため、マチがなくても背もたれの厚みや曲面に対応するよう変形させやすい。したがって、ある程度種々の形状の背もたれに被せることができる。さらに、このような構成の椅子カバーは、袋状部材を背もたれに被せるだけでなく、袋状部材と表示用プレート部材との間に、背もたれを挿入する使い方をすることもできる。したがって、背もたれが高い椅子にも、袋状部材を適切な位置に適用でき、椅子カバーの適用範囲が広がる。
【００１７】
請求項４に係る椅子カバーは、前記表示用プレート部材が、表面に防水・防汚加工を施されていることとしてもよい。
【００１８】
この構成によれば、汚れが表示用プレート部材に染み込むことがなく、拭き取るだけで常に表示用プレート部材を清潔で綺麗な状態に維持することができる。
【００１９】
請求項５に係る椅子カバーは、前記表示用プレート部材の周縁部において、少なくとも左右側縁部がテープ部材により覆われていることが望ましい。
【００２０】
この構成によれば、表示用プレート部材の周縁部の少なくとも左右側縁部がテープ部材によってパイピングされるため、表示用プレート部材と袋状部材との接合部強度を高めることができる。また、左右側縁部以外の周縁部、例えば下方縁部等にもパイピングを施すことによって、表示用プレート部材自体の耐久性を高めることができる。
【発明の効果】
【００２１】
本発明に係る椅子カバーは、文字や図案を表示した表示用プレート部材が、布と違って伸びたりたわんだりしないため、はっきりと綺麗に文字や図案を見せることができる。
【００２２】
そして、請求項２の発明においては、キャラクター等の形状の外形を有するので、よく目立ち、見栄えもよい。
【００２３】
また、請求項３の発明においては、袋状部材に伸縮性があるので、ある程度種々の形状の背もたれに取付け可能である。
【００２４】
さらに、請求項４の発明においては、表示用プレート部材の表面が防水・防汚対策されているので、汚れにくく、掃除も拭くだけで綺麗になるため作業性がよい。
【００２５】
また、請求項５の発明においては、表示用プレート部材の周縁部がパイピングによって強度を高められることができる。
【図面の簡単な説明】
【００２６】
【図１】図１（ａ）は、本発明の第１の実施形態に係る椅子カバー１を、表示用プレート２の表側２ａからみた図で、図１（ｂ）は、表示用プレート２の裏側２ｂから見た図である。
【図２】図２（ａ）は、同椅子カバーのαα線断面図である。図２（ｂ）は、同椅子カバーを椅子の背もたれに被せた状態のββ線断面における上方部分の断面図である。
【図３】表示用プレートについての説明図である。
【図４】図４（ａ）は、同椅子カバーを、椅子の背もたれに袋状部材を被せて装着した状態における座面側から見た正面図である。図４（ｂ）は、同背面図である。
【図５】図５（ａ）は、同椅子カバーを、椅子の背もたれに袋状部材と表示用プレートの間を通して装着した状態における座面側から見た正面図である。図５（ｂ）は、同背面図である。
【図６】図６（ａ）は、本発明の第２の実施形態に係る椅子カバーを、表示用プレート２の表側２ａからみた図で、図６（ｂ）は、表示用プレート２の裏側２ｂから見た図である。
【図７】図７（ａ）は、図６の椅子カバーを、椅子の背もたれに袋状部材を被せて装着した状態における座面側から見た正面図である。図７（ｂ）は、同椅子カバーを、椅子の背もたれに袋状部材と表示用プレートの間を通して装着した状態における座面側から見た正面図である。
【図８】図８（ａ）は、本発明の第３の実施形態に係る椅子カバーを、表示用プレート２の表側２ａからみた図で、図８（ｂ）は、表示用プレート２の裏側２ｂから見た図である。
【図９】図９（ａ）は、図８の椅子カバーを、椅子の背もたれに袋状部材を被せて装着した状態における座面側から見た正面図である。図８（ｂ）は、同椅子カバーを、椅子の背もたれに袋状部材と表示用プレートの間を通して装着した状態における座面側から見た正面図である。
【図１０】図１０（ａ）は、表示用プレートをキャラクター等の形状に形成しない椅子カバーの表面図及び裏面図である。図１０（ｂ）は、表示用プレートを袋状部材と略同一の形状とした椅子カバーの表面図及び裏面図である。
【発明を実施するための形態】
【００２７】
以下、本発明に係る椅子カバーを図面に基づき説明するが、本発明はこの実施形態に限定されるものではない。
【００２８】
（第１の実施形態）
まず、本発明の第１の実施形態に係る椅子カバー１を、図１〜図５により説明する。
【００２９】
椅子カバー１は、図１および図２に示すように、表示用プレート（表示用プレート部材）２と袋状部材３とを備える。表示用プレート２の表側２ａに、文字や図案を表示し、その裏側２ｂ（座面側）の腰部２ｅに、袋状部材３をその開口部３ａを下に向けて重ね合わせている。ポリエステル製のバイアステープ（テープ部材）４で、袋状部材３の一方の側縁部３ｂ上端から表示用プレート２の下部２ｆの下縁部２ｃに沿って、袋状部材３の他方の側縁部３ｃ上端までを、パイピングすることによって縫い合わせ、一体に形成している。
【００３０】
表示用プレート２は、図３に示すように、ポリエチレン樹脂に糊引き処理を施したベースＡの表側に、キャラクターの図案や文字をインクジェット出力して印刷した合成紙Ｂを重ね、さらに、合成紙Ｂを覆うようにＰＶＣラミネート加工を施した保護層Ｃを備えている。表示用プレート２の上部２ｄは、キャラクターの形状の外形に形成している。表示用プレート２は、ハリのある素材で形成しているので伸びたりたわんだりせず、キャラクターの形状の外形や印刷した図案・文字をはっきり、綺麗に見せることができ、見栄えがする。また、ＰＶＣラミネート加工による保護層Ｃを有しているので、表面の汚れを簡単に拭き取ることができ、清潔さと美観を維持しやすい。
【００３１】
袋状部材３は、矩形のナイロン製メッシュ生地を上下に二つ折りにし、その左右両側部と表示用プレート２の左右両側部とをパイピングテープ４で縫製することで、下方が開口した袋状となる。そして、袋状部材３は、ナイロン製メッシュ生地の特性からある程度変形させて種々の背もたれに合わせることができる。また、袋状部材３は、生地を二つ折りにし、あらかじめ左右を縫製して袋状に形成した後、左右両側部を表示用プレート２の左右両側部とパイピングテープ４で縫製してもよい。なお、袋状部材３は、一枚の生地を二つ折りする以外にも、二枚の生地を合わせ上部を縫い合わせてもよい。    
【００３２】
さらに、表示用プレート２に対して、袋状部材３の左右の側縁部３ｂ・３ｃが一体に縫い合わされているので、図４のように、開口部３ａ（Ｘ）を広げて椅子１０の背もたれ１０ａに被せた状態において、幅方向の中央寄りの部分では袋状部材３の上辺部分３ｄと表示用プレート２とが離れ（図２（ｂ）参照）、表示用プレート２は背もたれ１０ａの側に引張られずに装着できる。
【００３３】
また、図４のように袋状部材３の開口部３ａ（Ｘ）を椅子１０の背もたれ１０ａに被せて装着する以外にも、袋状部材３と表示用プレート２との空間（Ｙ）を椅子１０の背もたれ１０ａに通して、袋状部材３を装着することもできる（図２，図５参照）。この空間（Ｙ）を用いた装着方法の場合、背もたれが高い椅子や、袋部形状が合わない椅子にも椅子カバー１を装着できる。
【００３４】
表示用プレート２のベースＡは、伸縮性のない、ハリのある素材であればポリエチレン樹脂に限定されない。たとえば、プラスチック全般、ポリプロピレン、ポリカーボネート、ＰＥＴ、ＡＢＳ樹脂、ビニール、アクリル、塩ビ、ゴム板、合成樹脂、発泡パネル、厚紙、スポンジ、ウレタンフォーム、スチレンフォーム、ペーパーボード、フェルト、不織布、ブリキ、アルミ、スチール板、アルミ複合板、ベニヤ板に替えてもよい。
【００３５】
キャラクターの図案や文字は、合成紙Ｂに印刷する代わりに、ベースＡに直接印刷してもよいし、塩ビシート、ＰＥＴシート、ＰＰシート、紙（コート紙）、布（ポリエステル）、不織布等に印刷してもよい。
【００３６】
表面のラミネート加工による保護層Ｃに用いる素材としては、ＰＶＣのほかに、ＰＥＴ、ＰＰ、ポリカーボネートを適用することもできる。
【００３７】
袋状部材３は、上記したナイロン製メッシュ生地の代わりに、ポリエステル製やウレタン製のメッシュ生地を用いて形成してもよいし、スムース（伸縮生地）やスムースとウレタンの混紡生地を用いて形成してもよい。
【００３８】
表示用プレート２と袋状部材３の側縁部３ｂ・３ｃとは、上記のバイアステープ４を使ったパイピングによる縫い合わせに替えて、図示しない面ファスナー、カシメ、ハトメ、ホック、リベット、マグネット等の連結具を取付けて接合することもできる。このような連結具を用いると、表示用プレート２と袋状部材３の接合・分離が容易に行えるため、表示用プレート２のモデルチェンジに伴うコスト負担を抑えることができる。また、表示用プレート２のみ、または袋状部材３のみが汚れたり損傷したりした場合に、部分的な洗浄や補修・交換が可能になり、この点でもコスト削減につながる。
【００３９】
文字や図案の印刷は、インクジェット印刷のほかに、オフセット印刷、シルク印刷、ＵＶ硬化印刷、昇華転写でもよい。
【００４０】
（第２の実施形態）
次に、本発明の第２の実施形態による椅子カバー２１を、図６及び図７により説明する。第１の実施形態と同じ構成要素には、同一の符号を与え、詳しい説明は省略する。椅子カバー２１は、表示用プレート２２が、裏側２２ｂの腰部に袋状部材３を備えている点において、上記の椅子カバー１と同様であるが、下縁部２２ｃにもキャラクター等の形状の外形を備えている。このように形成した表示用プレート２２は、さらに印象的で、表側に広告等を表示した場合、訴求効果が高い。袋状カバー２を表示用プレート２２に接合するためのパイピングは、バイアステープ２４を袋状部材３の側縁部３ｂ・３ｃのみに縫い付けている。
【００４１】
なお、図７に示すように、椅子カバー２１は、椅子カバー１と同様、袋状部材３の開口部３ａ（Ｘ）を広げて、椅子１０の背もたれ１０ａに被せる装着方法以外に、袋状部材３と表示用プレート２１との空間（Ｙ）を椅子１０の背もたれ１０ａに通して、袋状部材３を装着することもできる。
【００４２】
（第３の実施形態）
さらに、本発明の第３の実施形態による椅子カバー３１を、図８及び図９により説明する。第１の実施形態と同じ構成要素には、同一の符号を与え、詳しい説明は省略する。椅子カバー３１は、袋状部材３３の上辺部３３ｄを、山型の曲線状に形成している。椅子１１の背もたれ１１ａが、上縁部にゆるやかな山型の曲線部を有する場合、このような袋状部材３３は背もたれ１１ａにフィットさせやすく、使用中にずれにくくてよい。なお、椅子部材３３についても、袋状部材３３の開口部３３ａ（Ｘ）を、椅子１１の背もたれ１１ａに被せる装着方法以外にも、空間部（Ｙ）を背もたれ１１ａに通す装着方法が可能である。
【００４３】
以上のとおり、図面を参照しながら本発明の好適な実施形態を説明したが、本発明の趣旨を逸脱しない範囲内で、種々の追加、変更または削除が可能である。例えば、前記各実施形態は、表示用プレートの上部にキャラクター等の凹凸のある形状の実施形態であるが、下部のみをキャラクター等の形状に形成した表示用プレートを用いたものや、図１０に示すように、キャラクター等の形状を形成しない表示用プレートを用いたものや、袋状部材の形状と略同一とした表示用プレートを用いたものも可能である。
【符号の説明】
【００４４】
１  椅子カバー（第１の実施形態）
２  表示用プレート（表示用プレート部材）
２ａ  表面
２ｂ  裏面
２ｃ  下縁部
２ｄ  上部
２ｅ  腰部
２ｆ  下部
３  袋状部材
３ａ  開口部（Ｘ）
３ｂ  側縁部
３ｃ  側縁部
３ｄ  上縁部
３ｅ  空間（Ｙ）
４  バイアステープ（テープ部材）
１０  椅子
１０ａ  背もたれ
１１  椅子
１１ａ  背もたれ
Ａ  ベース
Ｂ  合成紙
Ｃ  保護層
２１  椅子カバー（第２の実施形態）
２２    表示用プレート
２２ａ    表面
２２ｂ    裏面
２２ｃ    下縁部
２２ｄ    上部
２２ｅ    腰部
２２ｆ    下部
３１  椅子カバー（第３の実施形態）
３３    袋状部材
３３ａ    開口部（Ｘ）
３３ｂ    側縁部
３３ｃ    側縁部
３３ｄ    上縁部
３３ｅ    空間（Ｙ）
【図１】
0005562151.tif 000002
【図２】
0005562151.tif 000003
【図３】
0005562151.tif 000004
【図４】
0005562151.tif 000005
【図５】
0005562151.tif 000006
【図６】
0005562151.tif 000007
【図７】
0005562151.tif 000008
【図８】
0005562151.tif 000009
【図９】
0005562151.tif 000010
【図１０】
0005562151.tif 000011